(57)【要約】【課題】上階の一部を免震装置で本体と分離して、地震時に本体の振動が減殺される方向に稼動させる制震システムのマスダンパーとして利用した構造の高層建築物において、強大な風圧が作用するにもかかわらず、分離した最上階部分と本体の相対向する外壁間に形成した連絡通路の雨水処理及び防火区画が確実に行われるようにした高層建築物の壁面エキスパンションジョイントを提供する。【解決手段】本体１と、免震層ａで分離された上階部分２との相対向する外壁Ｗ１、Ｗ２間に、防火区画された連絡通路７を形成すると共に当該連絡通路の雨水処理を行う内部壁面エキスパンションジョイントＥＸＰ．Ｊ１を設け、その外側に風圧処理用の外部壁面エキスパンションジョイントＥＸＰ．Ｊ２を設けて、内部壁面エキスパンションジョイントに風圧が作用しないようにする。【選択図】図２
2008106474.tif 000002
【特許請求の範囲】
【請求項１】
上階の一部を免震装置で本体と分離し、分離した上階部分を本体に対して平面的に相対移動するマスダンパーとした構造の高層建築物において、分離した上階部分と本体の相対向する外壁間に、連絡通路を形成すると共に当該連絡通路の雨水処理を行う内部壁面エキスパンションジョイントを設け、その外側に風圧処理用の外部壁面エキスパンションジョイントを設けて、内部壁面エキスパンションジョイントに風圧が作用することを防止するようにしたことを特徴とする高層建築物の壁面エキスパンションジョイント。
【請求項２】
請求項１に記載の高層建築物の壁面エキスパンションジョイントであって、前記外部壁面エキスパンションジョイントは、分離した上階部分と本体の相対向する外壁の一方に上下方向の回動中心を有するヒンジ機構により揺動自在に枢着されて、外壁間の隙間を隠蔽する耐風パネルと、耐風パネルの揺動を阻止するロック状態と揺動を許容するロック解除状態とに切り換えるロック機構とを備え、通常時には、ロック機構で耐風パネルを固定しておき、地震発生時には、地震センサーが設定震度以上の地震を感知することにより、前記ロック機構をロック状態からロック解除状態に切り換えて、ロック機構による耐風パネルの固定を解除するように構成したことを特徴とする高層建築物の壁面エキスパンションジョイント。
【請求項３】
請求項２に記載の高層建築物の壁面エキスパンションジョイントであって、耐風パネルとヒンジ機構側の外壁とを引張スプリングで枢支連結し、前記ロック機構がデッドボルトと当該デッドボルトの先端部を挿抜自在に挿入する係止孔とで構成され、通常時には、デッドボルトの先端部が係止孔に挿入されたロック状態の引張スプリングでエキスパンションジョイントパネルを固定しておき、地震発生時には、地震センサーが設定震度以上の地震を感知することにより、前記デッドボルトが係止孔から抜け出したロック解除状態に切り換えて、引張スプリングによるエキスパンションジョイントパネルの固定を解除するようにしたことを特徴とする高層建築物の壁面エキスパンションジョイント。
【請求項４】
請求項３に記載の高層建築物の壁面エキスパンションジョイントであって、前記引張スプリングが互いにスライド自在に嵌合する二重筒状の鞘管に内蔵されていることを特徴とする高層建築物の壁面エキスパンションジョイント。
【発明の詳細な説明】
【技術分野】
【０００１】
本発明は、上階の一部を免震装置で本体と分離し、分離した上階部分を本体に対して平面的に相対移動するマスダンパー（質量ダンパー）とした構造の高層建築物における壁面エキスパンションジョイントに関する。
【背景技術】
【０００２】
例えば、屋上に設けたコンクリート板、水槽、意匠用構造物などの屋上工作物を免震層で建物本体と分離して、地震時に建物本体の振動が減殺される方向に稼動させる制震システムのマスダンパーとして利用した制震構造の建築物は、特許文献１, ２, ３, ４等によって知られている。
【０００３】
これらの建築物においては、マスダンパーとして利用される屋上工作物の内部が人の出入りする居室として利用されていないので、全く問題にならないが、例えばスカイラウンジ、スカイロビー等の居室を構成する最上階の一部を免震層で本体コア部と分離して、地震時に本体コア部の振動が減殺される方向に相対的に稼動させる制震システムのマスダンパーとして利用した制震構造の建築物においては、分離した最上階部分（スカイラウンジやスカイロビー等）と本体コア部の相対向する外壁間に、防火区画され且つ雨水が浸入しないように雨水処理された連絡通路を形成する必要がある。そして、地震時に最上階部分と本体コア部とが平面的に相対移動しても連絡通路としての機能を維持する必要がある。
【０００４】
そのため、分離した上階部分と本体コア部の相対向する外壁間には、防火区画された連絡通路を形成すると共に当該連絡通路の雨水処理を行う壁面エキスパンションジョイントが設けられることになる。
【０００５】
しかしながら、例えば高さが１５０メートルを越えるような超高層の建築物では、上階の壁面に強大な風圧が作用するので、高層部での地震時の稼動に追随しつつ大風圧に耐え、さらに止水を完全にしつつ防火区画を形成するのを、一つの壁面エキスパンションジョイントで解決するのは困難であると思われる。
【０００６】
また、従来の一般的な外壁エキスパンションジョイントでは、特許文献５, ６, ７, ８等に見られるように、外壁間の隙間を隠蔽するパネル（カバー材）を外壁の一方にスプリングで弾性支持させることによって、パネルの固定及び稼動時の復元を行うように構成されていた。
【０００７】
しかしながら、このパネルの支持方法を高層建築物の壁面エキスパンションジョイントに用いると、風による強大な負圧が作用するので、負圧による強大な引張力に耐え得るスプリングが必要になる。そして、パネルの弾性支持に強大なバネ力のスプリングを用いると、地震時に免震層での相対移動がスムーズに行えなくなるという問題点がある。
【０００８】
【特許文献１】特開平１１−９３４５８号公報
【特許文献２】特開平１１−１５９１９２公報
【特許文献３】特開２０００−１７０４１１号公報
【特許文献４】特開２００４−３４６５６２号公報
【特許文献５】特開平６−１２９０２４号公報
【特許文献６】特開平９−１１１８９３公報
【特許文献７】特開２００４−２７８２２２号公報
【特許文献８】特開２００６−１３８１４２号公報
【発明の開示】
【発明が解決しようとする課題】
【０００９】
本発明は、上記の点に留意してなされたものであって、その主たる目的とするところは、上階の一部を免震装置で本体と分離して、地震時に本体の振動が減殺される方向に稼動させる制震システムのマスダンパーとして利用した構造の高層建築物において、強大な風圧が作用するにもかかわらず、分離した上階部分と本体の相対向する外壁間に形成した連絡通路の雨水処理及び防火区画が確実に行われるようにした高層建築物の壁面エキスパンションジョイントを提供することにある。
【課題を解決するための手段】
【００１０】
上記の目的を達成するために本発明が講じた技術的手段は、次のとおりである。即ち、請求項１に記載の発明は、上階の一部を免震装置で本体と分離し、分離した上階部分を本体に対して平面的に相対移動するマスダンパーとした構造の高層建築物において、分離した上階部分と本体の相対向する外壁間に、連絡通路を形成すると共に当該連絡通路の雨水処理を行う内部壁面エキスパンションジョイントを設け、その外側に風圧処理用の外部壁面エキスパンションジョイントを設けて、内部壁面エキスパンションジョイントに風圧が作用することを防止するようにしたことを特徴としている。
【００１１】
請求項２に記載の発明は、請求項１に記載の高層建築物の壁面エキスパンションジョイントであって、前記外部壁面エキスパンションジョイントは、分離した上階部分と本体の相対向する外壁の一方に上下方向の回動中心を有するヒンジ機構により揺動自在に枢着されて、外壁間の隙間を隠蔽する耐風パネルと、耐風パネルの揺動を阻止するロック状態と揺動を許容するロック解除状態とに切り換えるロック機構とを備え、通常時には、ロック機構で耐風パネルを固定しておき、地震発生時には、地震センサーが設定震度以上の地震を感知することにより、前記ロック機構をロック状態からロック解除状態に切り換えて、ロック機構による耐風パネルの固定を解除するように構成したことを特徴としている。
【００１２】
請求項３に記載の発明は、請求項２に記載の高層建築物の壁面エキスパンションジョイントであって、耐風パネルとヒンジ機構側の外壁とを引張スプリングで枢支連結し、前記ロック機構がデッドボルトと当該デッドボルトの先端部を挿抜自在に挿入する係止孔とで構成され、通常時には、デッドボルトの先端部が係止孔に挿入されたロック状態の引張スプリングでエキスパンションジョイントパネルを固定しておき、地震発生時には、地震センサーが設定震度以上の地震を感知することにより、前記デッドボルトが係止孔から抜け出したロック解除状態に切り換えて、引張スプリングによるエキスパンションジョイントパネルの固定を解除するようにしたことを特徴としている。
【００１３】
請求項４に記載の発明は、請求項３に記載の高層建築物の壁面エキスパンションジョイントであって、前記引張スプリングが互いにスライド自在に嵌合する二重筒状の鞘管に内蔵されていることを特徴としている。
【発明の効果】
【００１４】
請求項１に記載の発明によれば、分離した上階部分と本体の相対向する外壁間に、防火区画された連絡通路を形成すると共に当該連絡通路の雨水処理を行う内部壁面エキスパンションジョイントを設け、その外側に風圧処理用の外部壁面エキスパンションジョイントを設けたので、強大な風圧が作用する高層部であっても、内部壁面エキスパンションジョイントに強大な風圧が作用することを防止できる。
【００１５】
従って、内部壁面エキスパンションジョイントによる雨水処理手段や防火区画形成手段に対する風圧による悪影響を阻止することが可能となり、内部壁面エキスパンションジョ
イントによる本来の止水性能を確保でき、防火区画も確実に維持できることになる。
【００１６】
高層部の場合、内部壁面エキスパンションジョイントの外側に設けられた風圧処理用の外部壁面エキスパンションジョイントには、強大な風圧が作用することになるが、請求項２に記載の発明によれば、外部壁面エキスパンションジョイントの耐風パネルが、通常時には、ロック機構で固定されているため、風による揺動が阻止されて、強大な負圧に耐えることができ、それでいて、地震発生時には、地震センサーが設定震度以上の地震を感知することにより、前記ロック機構をロック状態からロック解除状態に切り換えて、ロック機構による耐風パネルの固定を解除するので、外部壁面エキスパンションジョイントの耐風パネルが地震時における免震層での相対移動の妨げにならない。
【００１７】
請求項３に記載の発明によれば、耐風パネルとヒンジ機構側の外壁とを引張スプリングで枢支連結して、引張スプリングの引張力で耐風パネルが復元するように構成しているにもかかわらず、通常時には、ロック機構で耐風パネルを固定しておくので、耐風パネルに風による強大な負圧が作用しても、引張スプリングには引張力が作用しない。従って、風による強大な負圧に耐える強大なバネ力の引張スプリングが必要でないので、強大なバネ力のために、地震時に免震層での相対移動がスムーズに行えなくなるという問題を回避できることになる。
【００１８】
請求項４に記載の発明によれば、引張スプリングが互いにスライド自在に嵌合する二重筒状の鞘管に内蔵されているので、鞘管のスライドストローク端の設定によって、耐風パネルの初期位置を規定することができ、しかも、引張スプリングが風雨に曝されていないので、引張スプリングの発錆を防止して、長期間にわたって外部壁面エキスパンションジョイントの性能を維持できる。
【発明を実施するための最良の形態】
【００１９】
以下、本発明の実施形態を図面に基づいて説明する。図１〜図４は、スカイラウンジとして利用される最上階の一部（図２に示す平面視ほぼ馬蹄形の部分）を階段・エレベータのある本体（コア部）１と免震層ａで分離し、分離した最上階部分（本体１の三方を取り囲む馬蹄形の部分）２を本体１に対して平面的に相対移動するマスダンパー（質量ダンパー）とした制震構造の超高層建築物を示す。
【００２０】
具体的には、この超高層建築物は、地表近く（例えば１階）に設置された地震センサーＳが設定震度以上の地震を感知すると、地震センサーＳから発せられるマスダンパー用トリガー（スカイラウンジとして利用される最上階部分２と本体１との固定及び固定解除を司る機構）を解除操作するためのトリガー信号Ｔによって、本体１に対するマスダンパーの固定状態が解かれ、マスダンパー（スカイラウンジとして利用される最上階部分２）が最大±１ｍの稼動をするように構成されている。図３、図４に示す３は分離した最上階部分（スカイラウンジ）２を支持する免震装置であり、免震層ａは、免震装置や積層ゴム等によって構成されている。５は減衰用オイルダンパー、６はトリガー用オイルダンパーである。
【００２１】
本体１と分離した最上階部分２の相対向する外壁Ｗ１、Ｗ２間には、防火区画された連絡通路７を形成すると共に当該連絡通路７の雨水処理を行う内部壁面エキスパンションジョイントＥＸＰ．Ｊ１が複数箇所に設けられている。図示の例では、内部壁面エキスパンションジョイントＥＸＰ．Ｊ１が４箇所にあり、図２に示すように、本体１の左右両側面とそれに対向する馬蹄形部分の内側面との間に２箇所ずつ設けられている。そして、各々の内部壁面エキスパンションジョイントＥＸＰ．Ｊ１の外側（屋外空間側）には、風圧処理用の外部壁面エキスパンションジョイントＥＸＰ．Ｊ２を設けて、内部壁面エキスパンションジョイントＥＸＰ．Ｊ１に風圧が作用することを防止するように構成されている。
【００２２】
図示の例では、外部壁面エキスパンションジョイントＥＸＰ．Ｊ２は、図２に示すように、相対向する外壁Ｗ１、Ｗ２間の隙間のうち、馬蹄形部分の端部に対応する２箇所と、本体１と馬蹄形部分の中央部との間に形成された屋根の無い吹抜け（中庭用のオープンスペース）８に面した２箇所に設けられている。
【００２３】
内部壁面エキスパンションジョイントＥＸＰ．Ｊ１は、図３、図５〜図７に示すように、連絡通路７の床を形成する床エキスパンションジョイント９と、連絡通路７の天井を形成する天井エキスパンションジョイント１０と、連絡通路７の左右の内壁を形成する左右一対の内壁エキスパンションジョイント１１とを備えている。
【００２４】
床エキスパンションジョイント９は、本体１側に固定された床板１２と、最上階部分（スカイラウンジ）２側に固定された床板１３と、両床板１２,１３に対して平面的に相対
移動する中央の床板１４と、その床板１４より下方において本体１と最上階部分２にわたって連結された縦軸芯周りに変形する左右一対の水平なパンタグラフ式リンク１５とを備え、当該パンタグラフ式リンク１５における中央の枢支軸１５ａを中央の床板１４に対して縦軸芯周りで回転自在に枢着してある。
【００２５】
天井エキスパンションジョイント１０は、本体１により連絡通路７の幅方向にスライド自在に支持され且つ最上階部分２により連絡通路７の長手方向（連絡通路７の幅方向と直角な方向）にスライド自在に支持されたガイドレール１６と、当該ガイドレール１６の下面に固定された天井板１７とで構成されている。
【００２６】
内壁エキスパンションジョイント１１は、蛇腹状をなす折り畳み自在な一対の壁板１８と、各壁板１８の外側において本体１と最上階部分２にわたって連結された水平軸芯周りに変形する左右二対の垂直なパンタグラフ式リンク１９とを備え、当該パンタグラフ式リンク１９の各枢支軸を蛇腹状壁板１８の折れ曲り稜線に枢支連結して構成されている。
【００２７】
そして、これら床エキスパンションジョイント９、天井エキスパンションジョイント１０、内壁エキスパンションジョイント１１の周囲全体を取り囲む状態に防火区画形成用の可撓性耐火帯２０を配設し、この可撓性耐火帯２０を、床エキスパンションジョイント９の中央の床板１４に枢着された前記の水平なパンタグラフ式リンク１５、天井の可撓性耐火帯２０よりも上方において本体１と最上階部分２にわたって連結された水平なパンタグラフ式リンク２１、側壁の可撓性耐火帯２０よりも外側において本体１と最上階部分２にわたって連結された垂直なパンタグラフ式リンク２２で支持させて、地震によるマスダンパー稼動時にも連絡通路７の防火区画が維持されるように構成されている。
【００２８】
また、防火区画の周囲には、その全体を取り囲む状態に止水シート２３を配置し、当該止水シート２３の一端を本体１側に、他端を最上階部分２側に、夫々、水密状態に固定して、連絡通路７の雨水処理（止水処理）を行うように構成されている。
【００２９】
外部壁面エキスパンションジョイントＥＸＰ．Ｊ２は、内部壁面エキスパンションジョイントＥＸＰ．Ｊ１に風圧がかからないようにすることを主目的とするものであるが、通常時、雨の吹き込みを抑制する程度の雨水処理の役目も果たすものである。
【００３０】
図示の例では、外部壁面エキスパンションジョイントＥＸＰ．Ｊ２が、図８に示すように、重量及び風圧を分散するために上下複数段（図示の例では３段）のユニットに分割されており、各段のユニットは、図９、図１０に示すように、本体１と分離した最上階部分２との相対向する外壁Ｗ１、Ｗ２の一方に上下方向の回動中心を有するヒンジ機構２４により揺動自在に枢着されて、外壁Ｗ１、Ｗ２間の隙間を隠蔽する耐風パネル２５と、耐風
パネル２５の揺動を阻止するロック状態と揺動を許容するロック解除状態とに切り換えるロック機構２６とを備え、通常時には、ロック機構２６で耐風パネル２５を固定しておき、地震発生時には、前記地震センサーＳが設定震度以上の地震を感知することにより、前記ロック機構２６をロック状態からロック解除状態に切り換えて、ロック機構２６による耐風パネル２５の固定を解除するように構成されている。
【００３１】
より詳しく説明すると、耐風パネル２５の裏面に固着された複数本（図示の例では８本）の水平フレーム２７ａとそれらと直角に連結された垂直フレーム２７ｂとから成る補強フレームのうち、耐風パネル中央から上下に等間隔を隔てた２本の水平フレーム２７ａの先端に夫々キャスター２８を設け、耐風パネル中央部の垂直フレーム２７ｂとヒンジ機構２４側の外壁Ｗ２とを、耐風パネル２５の固定及び稼動時の復元を司る引張スプリング２９で枢支連結してある。尚、引張スプリング２９の両端は、後述するピン３７,３８で支
持されている。
【００３２】
また、キャスター２８の設けられていない水平フレーム２７ａの先端と、通常時、それと対向する位置にある本体１の外壁Ｗ１との間にロック機構２６を構成してある。ロック機構２６としては、種々の構成を採用できるが、図示の例では、デッドボルト３０とその先端部が挿抜自在に挿入される係止孔３２とでロック機構２６を構成してある。具体的には、本体１の外壁Ｗ１の所定位置に、出没可能なデッドボルト３０とそれを出没駆動する電磁石（図示せず）とを備えた電気錠本体３１を固定する一方、通常時、これと対向する位置にある水平フレーム２７ａの先端には、前記デッドボルト３０の先端部が挿入される係止孔３２を有する係止用ブロック３３を固着して、電気錠から成るロック機構２６を構成してある。
【００３３】
そして、通常時には、突出状態にあるデッドボルト３０の先端部が係止孔３２に挿入されて、耐風パネル２５の揺動を阻止するロック状態が維持され、設定震度以上の地震発生時には、電気錠の制御装置（図示せず）が前記地震センサーＳからのトリガー信号を受けることにより、デッドボルト３０が電気錠本体３１に引き込まれて、係止孔３２から抜け出したロック解除状態に切り換わり、耐風パネル２５の揺動阻止状態が解除されるように構成されている。
【００３４】
従って、ロック解除状態において、マスダンパーが外壁Ｗ１、Ｗ２間の隙間が狭くなる方向に稼動すると、図１０に示すように、キャスター２８が外壁Ｗ１で押され、耐風パネル２５が引張スプリング２９に抗してヒンジ機構２４の回動中心周りに揺動し、マスダンパーに追従することになる。
【００３５】
尚、通常時、つまり、耐風パネル２５がロック状態にあるとき、キャスター２８の先端とそれに対向する本体１の外壁Ｗ１との間には、図９に示すように、若干の隙間（例えば、４０ｍｍ程度の隙間）Ｈが形成されており、耐風パネル２５の揺動先端縁に取り付けられたパッキン３４のみが外壁Ｗ１に接触し、キャスター２８が外壁Ｗ１に接触しないようになっている。また、係止孔３２の内面には適当な厚さのクロロプレンゴム等のスポンジ状緩衝材３５が取り付けられている。これらは、何れも、風や設定震度以下の地震等による層間変位を許容するための工夫である。
【００３６】
前記引張スプリング２９には、互いにスライド自在に嵌合する二重筒状の鞘管３６が套嵌され、一方の鞘管３６ａの基端はヒンジ機構２４の回動中心と平行なピン（引張スプリング２９の一端を支持するピン）３７で耐風パネル２５側に枢着され、他方の鞘管３６ｂの基端は前記ピン３７と平行なピン（引張スプリング２９の他端を支持するピン）３８でヒンジ機構２４側の外壁Ｗ２に枢着されている。内側の鞘管３６ａの基端側外面には、外側の鞘管３６ｂの開口端にして、それ以上の縮小方向へのスライドを阻止するストッパー
（スライドストローク端を設定するストッパー）３９が設けられている。
【００３７】
従って、ピン３７,３８とヒンジ機構２４との位置関係、換言すれば、耐風パネル２５
の初期位置が規定されることになる。また、引張スプリング２９が鞘管３６に内蔵されているので、引張スプリング２９が風雨に曝されず、引張スプリング２９の発錆を防止できる。従って、長期間にわたって外部壁面エキスパンションジョイントＥＸＰ．Ｊ２の性能が維持されることになる。
【００３８】
上記の構成によれば、本体１と分離した最上階部分２の相対向する外壁Ｗ１、Ｗ２間に、防火区画された連絡通路７を形成すると共に当該連絡通路７の雨水処理を行う内部壁面エキスパンションジョイントＥＸＰ．Ｊ１を設け、その外側に風圧処理用の外部壁面エキスパンションジョイントＥＸＰ．Ｊ２を設けたので、強大な風圧が作用する超高層部であるにもかかわらず、内部壁面エキスパンションジョイントＥＸＰ．Ｊ１に強大な風圧が作用することを防止できる。
【００３９】
従って、内部壁面エキスパンションジョイントＥＸＰ．Ｊ１による雨水処理手段や防火区画形成手段に対する風圧による悪影響を阻止することが可能となり、内部壁面エキスパンションジョイントＥＸＰ．Ｊ１による本来の止水性能を確保でき、防火区画も確実に維持できることになる。
【００４０】
内部壁面エキスパンションジョイントＥＸＰ．Ｊ１の外側に設けられた風圧処理用の外部壁面エキスパンションジョイントＥＸＰ．Ｊ２には、強大な風圧が作用するが、外部壁面エキスパンションジョイントＥＸＰ．Ｊ２の耐風パネル２５が、通常時には、ロック機構２６で固定されているため、風による揺動が阻止されており、風による強大な負圧に耐えることができる。
【００４１】
また、耐風パネル２５側とヒンジ機構２４側の外壁Ｗ２とを、耐風パネル２５の固定及び稼動時の復元を司る引張スプリング２９で枢支連結してあるが、通常時には、ロック機構２６で耐風パネル２５を固定しておくので、耐風パネル２５に風による強大な負圧が作用しても、引張スプリング２９には引張力が作用せず、従って、引張スプリング２９として風による強大な負圧に耐える強大なバネ力の引張スプリングを必要としない。
【００４２】
設定震度以上の地震発生時には、地震センサーＳから発せられるマスダンパー用トリガーを解除操作するためのトリガー信号Ｔによって、本体１に対するマスダンパー（スカイラウンジとして利用される最上階部分２）の固定状態が解かれると同時に、前記ロック機構２６をロック状態からロック解除状態に切り換えて、ロック機構２６による耐風パネル２５の固定を解除する。
【００４３】
従って、外部壁面エキスパンションジョイントＥＸＰ．Ｊ２の耐風パネル２５が地震時における免震層ａでの相対移動の妨げにならず、しかも、引張スプリング２９として強大なバネ力のものを要求されないので、引張スプリング２９によって免震層ａでのスムーズな相対移動を妨げることもなく、図１１、図１２に示すように、マスダンパー（スカイラウンジとして利用される最上階部分２）が最大±１ｍの範囲でスムーズに稼動して、本体１の揺れを防止することになる。
【００４４】
地震が終わると、外部壁面エキスパンションジョイントＥＸＰ．Ｊ２の耐風パネル２５が引張スプリング２９によって初期位置に復帰するので、図９に示したロック状態に復元することができる。
【００４５】
図１３は、本発明の他の実施形態を示し、ヒンジ機構２４側の外壁Ｗ２に、耐風パネル
２５の補強フレームの一部２７ｃと当接して、耐風パネル２５のそれ以上の内側への揺動を阻止するストッパー４０を設けた点に特徴がある。
【００４６】
この構成によれば、引張スプリング２９に套嵌させる二重筒状の鞘管３６が不要となるので、低コスト化を図ることができる。その他の構成、作用効果は先の実施形態と同じであるため、同一構成部材に同一符号を付し、説明を省略する。
【００４７】
以上、本発明の実施例について説明したが、本発明はこうした実施例に何等限定されるものではなく、本発明の要旨を逸脱しない範囲において、種々なる態様で実施し得ることは勿論である。
【図面の簡単な説明】
【００４８】
【図１】本発明の一実施形態を示す超高層建築物の概略側面図である。
【図２】超高層建築物の最上階部分の要部横断平面図である。
【図３】図２のＡ−Ａ断面図である。
【図４】図２のＢ−Ｂ断面図である。
【図５】内部壁面エキスパンションジョイントの分解斜視図である。
【図６】内部壁面エキスパンションジョイントの縦断側面図である。
【図７】内部壁面エキスパンションジョイントの縦断正面図である。
【図８】図２のＣ−Ｃ立面図である。
【図９】外部壁面エキスパンションジョイントの通常時における横断平面図である。
【図１０】外部壁面エキスパンションジョイントの地震時における横断平面図である。
【図１１】作用の説明図である。
【図１２】作用の説明図である。
【図１３】本発明の他の実施形態を示す外部壁面エキスパンションジョイントの通常時における横断平面図である。
【符号の説明】
【００４９】
ＥＸＰ．Ｊ１  内部壁面エキスパンションジョイント
ＥＸＰ．Ｊ２  外部壁面エキスパンションジョイント
ａ  免震層
１  本体（コア部）
２  最上階部分（スカイラウンジ）
７  連絡通路
【図１】
2008106474.tif 000003
【図２】
2008106474.tif 000004
【図３】
2008106474.tif 000005
【図４】
2008106474.tif 000006
【図５】
2008106474.tif 000007
【図６】
2008106474.tif 000008
【図７】
2008106474.tif 000009
【図８】
2008106474.tif 000010
【図９】
2008106474.tif 000011
【図１０】
2008106474.tif 000012
【図１１】
2008106474.tif 000013
【図１２】
2008106474.tif 000014
【図１３】
2008106474.tif 000015